(57)【要約】      （修正有）【課題】梯子自体を組立式に構成でき、踏み桟、梯子支柱等が破損したときにはその交換が容易であり、複数連で接続する場合にも確実に接続固定できる組立梯子を提供する。【解決手段】左右に配した対状の梯子支柱２の相互間に、所定間隔毎に踏み桟５を着脱自在に横架固定して成る。踏み桟５は、断面で円形を呈する中空筒材製で、端部それぞれには、梯子支柱２の内側面に固着する矩形状の固着プレート７を固定し、この固着プレート７には、踏み桟５自体の空洞部に対応したプレート貫挿孔８を開口形成し、隅部にはプレート取付孔９を開穿する。梯子支柱２は、踏み桟５の横架固定位置に、踏み桟５の空洞部に連通する支柱貫挿孔３を開口形成し、プレート取付孔９に対応する支柱取付孔４を開穿する。プレート取付孔９、支柱取付孔４それぞれを対応合致させて梯子支柱２相互間に踏み桟５を着脱自在に固定する取付手段１０を備える。【選択図】図１
0003211466.tif 000002
【実用新案登録請求の範囲】
【請求項１】
左右に配した対状の梯子支柱の相互間に、所定間隔毎に踏み桟が着脱自在に横架固定されて成る組立梯子において、踏み桟は、断面で円形を呈する中空筒材製で、端部それぞれには、梯子支柱の内側面に固着する矩形状の固着プレート７固定されていて、この固着プレートには、踏み桟自体の空洞部に対応したプレート貫挿孔が中心に開口形成され、固着プレート自体の隅部にはプレート取付孔が開穿されており、梯子支柱は、踏み桟の横架固定位置に、踏み桟の空洞部に連通する支柱貫挿孔が開口形成され、固着プレートのプレート取付孔に対応する支柱取付孔が開穿されており、プレート取付孔、支柱取付孔それぞれを対応合致させて梯子支柱相互間で、梯子支柱と踏み桟とが着脱自在に固定される取付手段を備えて成ることを特徴とする組立梯子。
【請求項２】
梯子支柱は、帯板状の主材と、この主材の両側縁に主材自体の片面にほぼ直交させることで張り出し状に一体に設けた張り出し材とから成る断面でほぼＨ字形を呈し、主材の片面が相対向するようにして左右に配される請求項１に記載の組立梯子。
【請求項３】
組立梯子を複数連で接続する接続手段を備えており、この接続手段は、相互に接続される梯子相互の重ね合わせ部分で、接続されるそれぞれの梯子における踏み桟の空洞部、プレート貫挿孔、支柱貫挿孔に貫挿され、梯子支柱の外側方に端部が突出する接続バーと、接続されるそれぞれの梯子の踏み桟に貫挿されたそれぞれの接続バーの端部を貫挿させる複数の接続孔が開穿されていて、接続バー相互間に架け渡されて連結させる接続プレートと、この接続プレートの外側方に突出された接続バーの突出部に貫挿固定されるピン状のストッパーとから成る請求項１または２に記載の組立梯子。
【考案の詳細な説明】
【技術分野】
【０００１】
この考案は、例えば建築・作業現場において、比較的に高い場所で作業を行うときに使用される梯子に係り、特に組立あるいは分解が可能で、破損した踏み桟や梯子支柱の着脱交換が容易となるようにした組立梯子に関する。
【背景技術】
【０００２】
従来から、比較的に高い場所での各種の作業に際し梯子によって高所にのぼり、作業を行っている。そのための梯子は、例えば両側に配した左右の支柱相互間に所定間隔毎に踏み桟を横架固定して成り、持ち運び、作業現場での移動その他を考慮して所定の荷重に耐え得るようにした例えばアルミニウム材、ステンレス材等を素材して軽量化が図られている。また、現場において簡単に使用できるように、更には必要な高さに設定できるように組立式とした梯子も提案されている。
【０００３】
例えば特許文献１に示される簡易梯子であり、特許文献２に示されるシステムステンレス製梯子である。特許文献１の簡易梯子は、中空状の梯子本体に、梯子本体の一側壁から他側壁に踏み桟を梯子本体の高さ方向に沿って左右交互に貫通保持して成る。特許文献２のシステムステンレス製梯子は、左右に配したサイドバー相互間に所定間隔毎にステップ部材をボルト・ナットによって固定することで横架固定して成る。
【先行技術文献】
【特許文献】
【０００４】
【特許文献１】特開平８−１３９６６号公報
【特許文献２】特開２００２−２３５４９０号公報
【考案の概要】
【考案が解決しようとする課題】
【０００５】
ところが特許文献１の簡易梯子によると、梯子本体が上り下り面の中央に配置されることになるから、建築物構築用の仮設足場での上り下りや梯子自体に止まっての作業では邪魔になり、迅速な各種作業は望めない。また特許文献２のシステムステンレス製梯子によると、そのステップ部材がコ字状平板によって形成されていると、耐荷重性は大きくはないから歪形したり、大きな荷重が付加されたときには破断されたりする危険性がある。
【０００６】
そこでこの考案は叙上のような従来存した諸事情に鑑み案出されたもので、その目的は梯子自体を組立式に構成でき、特にその踏み桟や梯子支柱等が破損したときにはその交換が容易であり、また複数連で接続する場合にも確実に連結固定できるようにもした組立梯子を提供することにある。
【課題を解決するための手段】
【０００７】
上述した課題を解決するため、この考案にあっては、左右に配した対状の梯子支柱２の相互間に、所定間隔毎に踏み桟５が着脱自在に横架固定されて成る組立梯子において、踏み桟５は、断面で円形を呈する中空筒材製で、端部それぞれには、梯子支柱２の内側面に固着する矩形状の固着プレート７が固定されていて、この固着プレート７には、踏み桟５自体の空洞部に対応したプレート貫挿孔８が中心に開口形成され、固着プレート７自体の隅部にはプレート取付孔９が開穿されており、梯子支柱２は、踏み桟５の横架固定位置に、踏み桟５の空洞部に連通する支柱貫挿孔３が開口形成され、固着プレート７のプレート取付孔９に対応する支柱取付孔４が開穿されており、プレート取付孔９、支柱取付孔４それぞれを対応合致させて梯子支柱２相互間で、梯子支柱２と踏み桟５とが着脱自在に固定される取付手段１０を備えて成ることを特徴とする。
梯子支柱２は、帯板状の主材と、この主材の両側縁に主材自体の片面にほぼ直交させることで張り出し状に一体に設けた張り出し材とから成る断面でほぼＨ字形を呈し、主材の片面が相対向するようにして左右に配されることで構成することができる。
また、組立梯子（１）を複数連で接続する接続手段２０を備えており、この接続手段２０は、相互に接続される梯子１相互の重ね合わせ部分で、接続されるそれぞれの梯子１における踏み桟５の空洞部、プレート貫挿孔８、支柱貫挿孔３に貫挿され、梯子支柱２の外側方に端部が突出する接続バー２１と、接続されるそれぞれの梯子１の踏み桟５に貫挿されたそれぞれの接続バー２１の端部を貫挿させる複数の接続孔２３が開穿されていて、接続バー２１相互間に架け渡されて連結させる接続プレート２２と、この接続プレート２２の外側方に突出された接続バー２１の突出部に貫挿固定されるピン状のストッパー２４とから成る。
【０００８】
以上のように構成されたこの考案に係る組立梯子にあって、左右の梯子支柱２相互間で着脱自在にした踏み桟５が横架固定されていることで、梯子支柱２、踏み桟５相互による組立、分解を可能にさせ、特に例えば破損した踏み桟５や梯子支柱２を交換させ得る。
踏み桟５は、断面で円形を呈する中空筒材製であることで、耐荷重性を増大させる。
また、接続手段２０において、互いに合致する踏み桟５の空洞部、固着プレート７のプレート貫挿孔８、梯子支柱２の支柱貫挿孔３は、複数の梯子１を接続するときの接続バー２１を貫挿させ、接続するそれぞれの梯子支柱２の踏み桟５に貫挿した接続バー２１相互に掛け渡した接続プレート２２、ストッパー２４は、梯子１を複数連で接続させる。
【考案の効果】
【０００９】
この考案は以上説明したように構成されているため、左右に配した梯子支柱２相互間に踏み桟５を着脱自在に横架固定してあることで、梯子１自体を組立式に構成でき、また、踏み桟５や梯子支柱２が破損した場合にはその交換も容易である。中空状の踏み桟５と、この踏み桟５の横架固定位置の梯子支柱２に開口形成した支柱貫挿孔３とを利用して、梯子１自体の重ね合わせ部分同士を接続手段２０によって順次に複数連にして接続でき、所定の高さ、長さの梯子１とすることができる。
【００１０】
すなわち、これはこの考案において、左右に配した梯子支柱２の相互間に踏み桟５を着脱自在に横架固定して成り、踏み桟５は、中空筒材製で、端部に固着した固着プレート７には、踏み桟５自体の空洞部に対応したプレート貫挿孔８が開口形成され、隅部にプレート取付孔９が開穿されており、梯子支柱２は、踏み桟５の横架固定位置に、踏み桟５の空洞部に連通する支柱貫挿孔３が開口形成され、プレート取付孔９に対応する支柱取付孔４が開穿されており、梯子支柱２相互間で踏み桟５が着脱自在に固定される取付手段１０を備えて成るからである。これによって、梯子支柱２と踏み桟５との取付手段１０による組立・分解、踏み桟５、梯子支柱２等の交換、更には接続手段２０による複数連の接続等を可能にする。
【００１１】
また、踏み桟５自体は、断面円形の中空筒材にて形成されているから、作業者の上り下り時における荷重その他を十分に支持できる耐荷重性があり、もし、仮に破損することがあっても踏み桟５が着脱自在であることで簡単に交換ができ、長期にわたる使用を可能にする。
【００１２】
接続手段２０において、重ね合わせた部分における踏み桟５、プレート貫挿孔８、支柱貫挿孔３を貫挿させた接続バー２１それぞれに掛け渡した接続プレート２２によって梯子１の重ね合わせ部分をしっかり接合でき、また、接続バー２１はこの接続バー２１の突出部に貫挿固定したストッパー２３によって接続バー２１から接続プレート２２が外れることはなく、接続状態を維持でき、作業の安全性を確保できる。
【００１３】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１４】
【図１】この考案を実施するための一形態を示す要部の一部切欠分解斜視図である。
【図２】同じく組立後の一例における斜視図である。
【図３】同じく要部の断面図である。
【図４】同じく相互に接続固定する場合の接続における分解斜視図である。
【考案を実施するための形態】
【００１５】
以下、図面を参照してこの考案を実施するための一形態を説明すると、図において示される符号１はこの考案に係る組立梯子であり、左右に配した対状の梯子支柱２の相互間に、所定間隔毎に踏み桟５が着脱自在に横架固定されて成り、軽量化のため例えばアルミニウム材を素材として構成されている。
【００１６】
梯子支柱２は、帯板状の主材と、この主材の両側縁に主材自体の片面にほぼ直交させることで張り出し状に一体に設けた張り出し材とから成る断面でほぼＨ字形を呈しており、軽量性と耐荷重性とが得られようにしている。この梯子支柱２は、主材の片面が相対向するようにして左右に配されることで、相互間に踏み桟５が横架固定されるようになっている。また作業現場における高さに対応するよう全体長さが例えば４メートル、５メートル、６メートル等の長さに設定されている。
【００１７】
踏み桟５は、断面で円形を呈する中空筒材によって梯子１の幅員に対応した長さに設定されていて、踏み桟５の端部それぞれには、梯子支柱２の内側面に固着する固着プレート７が固定されている。この固着プレート７は、図に示すように、梯子支柱２の主材の幅員に比し広くはない幅員で適宜肉厚を有するほぼ正方形状に形成されており、踏み桟５の端部の周囲に溝状に屈曲形成した固着部６に噛み合うように連結することで固定されている。そして、この固着プレート７には、踏み桟５自体の空洞部に対応したプレート貫挿孔８が中心に開口形成されていて、固着プレート７自体の隅部、例えば四隅にはプレート取付孔９が開穿されている。
【００１８】
一方、前記梯子支柱２には、踏み桟５を横架固定する位置に、踏み桟５の空洞部に対応してこの空洞部に連通する支柱貫挿孔３が開口形成されており、また、梯子支柱２と踏み桟５との相互間の組立のために、梯子支柱２に固着プレート７が当接されたときのプレート取付孔９に対応する支柱取付孔４が開穿されている。
【００１９】
梯子支柱２相互間に横架された踏み桟５の固着プレート７が梯子支柱２の内側面に当接され、プレート取付孔９、支柱取付孔４それぞれが対応合致した状態でこれらに貫挿されるボルト、及びナットによる取付手段１０を介して梯子支柱２相互間に踏み桟５が固定されるようにしてある。なお、図示例にあって、プレート取付孔９、支柱取付孔４はそれぞれが４ヶ所となるように開穿配列されているも、図示を省略したがこれらを３ヶ所とすることもできる。
【００２０】
図示例において、梯子支柱２の下端には、梯子１自体を支持面で支えるための支持台座１５が揺動自在に設けられている。
【００２１】
また、梯子１を複数連で連結する接続手段２０が用意されている。この接続手段２０は、図４に示すように、相互に接続される梯子１相互の重ね合わせ部分で、接続されるそれぞれの梯子１における踏み桟５の空洞部、プレート貫挿孔８、支柱貫挿孔３に貫挿され、梯子支柱２の外側方に端部が突出する接続バー２１と、接続されるそれぞれの梯子１に貫挿されたそれぞれの接続バー２１を貫挿させる複数の接続孔２３が開穿されていて、接続バー２１相互間に架け渡されて連結させる接続プレート２２と、この接続プレート２２の外側方に突出された接続バー２１の突出部に貫挿固定されるピン状のストッパー２４とから成る。
【００２２】
接続バー２１は例えば中空パイプ製で、図示例の接続バー２１は端部の突出部分がやや小径になっている段部構造としてあって、接続プレートの接続孔２３の内径はこの突出部分の外径にほぼ対応している。そして、接続するように一部を重ね合わせた梯子１における重ね合わせ部位におけるそれぞれの踏み桟５それぞれに貫挿した接続バー２１相互間に接続プレート２２を掛け渡し、接続プレート２２の外方に突出する接続バー２１の突出部分に貫挿したストッパー２４によって接続プレート２２を介して接続バー２１相互を固定的に連結する。このとき、ストッパー２４は、接続プレート２２の外側面位置とすることで接続プレート２２のがたつきを防止し、接続される梯子１相互をしっかりと連結できるようにしてある。
【００２３】
なお、図示を省略したが、この接続手段２０を梯子１相互の重ね合わせ部分の複数箇所で使用することで、梯子１相互の接続を一層堅固にすることができる。
【００２４】
次に梯子１の組立の一例を説明すると、左右に相対峙状に配した梯子支柱２相互間に踏み桟５を配置し、踏み桟５の空洞部を梯子支柱２の支柱貫挿孔３に対応合致させ、踏み桟５の固着プレート７を梯子支柱２の内側面に当接させて、プレート取付孔９、支柱取付孔４によって取付手段１０を介して梯子支柱２に踏み桟５を固定し、梯子１とする。
【００２５】
踏み桟５が破損した場合には、破損した踏み桟５の例えば上下の踏み桟５の取付手段１０を若干緩めておいて、破損した踏み桟５を取り外し、新規の踏み桟５を再度横架固定すれば良い。あるいは、梯子支柱２が破損した場合には、踏み桟５から取り外し、新規の梯子支柱２によって再度組立構成すれば良い。
【００２６】
また、梯子１を複数連で接続する場合には、梯子支柱２の端部それぞれを重ね合わせ、重ね合わせたそれぞれの梯子１における踏み桟５に貫挿した接続バー２１を接続プレート２２によって掛け渡し、ストッパー２４にて固定すれば良い。
【符号の説明】
【００２７】
１…梯子
２…梯子支柱                            ３…支柱貫挿孔
４…支柱取付孔                          ５…踏み桟
６…固着部                              ７…固着プレート
８…プレート貫挿孔                      ９…プレート取付孔
１０…取付手段                          １５…支持台座
２０…接続手段                          ２１…接続バー
２２…接続プレート                      ２３…接続孔
２４…ストッパー
【図１】
0003211466.tif 000003
【図２】
0003211466.tif 000004
【図３】
0003211466.tif 000005
【図４】
0003211466.tif 000006